(57)【要約】【課題】フィードバック方式とフィードフォワード方式のノイズキャンセルを組み合わせたとしても、音質の変化や劣化などを防ぎ前気室に残っている騒音を除去することができるノイズキャンセルヘッドホンを提供する。【解決手段】  筐体１１の外側に向かって取り付けられたマイクユニット１を有し、使用態様において筐体２２と使用者の外耳道２１との間には、前気室１２が形成され、マイクユニット１は、ノイズキャンセル信号を生成するキャンセル信号生成手段を有し、フィードフォワード方式で騒音をキャンセルするノイズキャンセルヘッドホン１０１であって、前気室１２内には、フィードフォワード方式で消音しきれなかった誤差騒音を検出する誤差検出用マイクユニット６が配置され、誤差騒音をキャンセルするための誤差補正信号を生成してフィードバック方式でノイズキャンセルを行う誤差騒音キャンセル信号生成手段を有する。【選択図】        図１
2012023637.tif 000002
【特許請求の範囲】
【請求項１】
筐体と、
上記筐体に備えられたヘッドホンユニットと、
上記筐体の外側に向かって取り付けられたマイクユニットと、を有し、
使用態様において上記筐体と使用者の外耳道との間には、前気室が形成され、
上記マイクユニットは、外部騒音を集音し、
ヘッドホンを通して使用者の耳に聞こえてくる騒音と逆位相のノイズキャンセル信号を生成するキャンセル信号生成手段を有し、フィードフォワード方式で上記外部騒音をキャンセルするノイズキャンセルヘッドホン、であって、
上記前気室内には、上記フィードフォワード方式で消音しきれなかった誤差騒音を検出する誤差検出用マイクユニットが配置され、
上記誤差騒音をキャンセルするための誤差補正信号を生成してフィードバック方式でノイズキャンセルを行う誤差騒音キャンセル信号生成手段を有することを特徴とするノイズキャンセルヘッドホン。
【請求項２】
上記フィードフォワード方式に使われる上記キャンセル信号生成手段または、上記フィードバック方式に使われる上記誤差騒音キャンセル信号生成手段の少なくとも一方に、デジタルフィルターを使用している請求項１に記載のノイズキャンセルヘッドホン。
【請求項３】
上記誤差騒音は、周波数帯を限定されてキャンセルされる請求項１または２に記載のノイズキャンセルヘッドホン。
【請求項４】
設定した基準の音圧に相当する基準電圧を発生させる基準電圧発生回路を有する請求項１乃至３のいずれかに記載のノイズキャンセルヘッドホン。
【請求項５】
上記誤差騒音が設定された上記基準の音圧よりも小さい場合には、ノイズキャンセル量が一定になるようにコントロールするオートゲインコントロールアンプを有する請求項４に記載のノイズキャンセルヘッドホン。
【請求項６】
上記誤差騒音が上記基準の音圧よりも大きい場合には、上記オートゲインコントロールアンプに送られる上記誤差検出用マイクユニットからの信号を切断するスイッチを有する請求項４または５に記載のノイズキャンセルヘッドホン。
【請求項７】
上記基準の音圧を使用者が調節可能な調節手段を備える請求項４乃至６のいずれかに記載のノイズキャンセルヘッドホン。
【請求項８】
上記誤差検出用マイクユニットは、ヘッドホンユニットの中心軸上から外して配置されている請求項１乃至７のいずれかに記載のノイズキャンセルヘッドホン。
【発明の詳細な説明】
【技術分野】
【０００１】
本発明は、従来のフィードフォワード方式ノイズキャンセルヘッドホンでは消音しきれなかったノイズをフィードバック方式の誤差信号補正回路によって処理するノイズキャンセルヘッドホンに関するものである。
【背景技術】
【０００２】
ノイズキャンセルヘッドホンは、ヘッドホンに内蔵したマイクロホンが集音した騒音を分析し、ヘッドホンを通して使用者の耳に聞こえる騒音とは逆の位相で同音量の音波成分を発生させて、騒音と、逆位相の音波成分が互いを消し合うことで、騒音を低減させる仕組みになっている。本発明の技術的思想に比較的近いノイズキャンセルヘッドホンとしては、例えば、特許文献１に記載の発明のように、楽音信号によって駆動されるスピーカーユニットを備え、マイクロホンユニットで生成される騒音信号に基づいて検出されるノイズキャンセル信号によりスピーカーユニットのフレームを駆動するヘッドホンがある。
【０００３】
従来、ノイズキャンセルヘッドホンでは、ノイズキャンセルの方法としてフィードバック方式と、フィードフォワード方式と、その双方の特徴を組み合わせて消音効果を得るハイブリット型のものが提供されている。フィードバック方式の特長は、外来騒音を圧縮する方法のため、フィードフォワード方式と比較すると広い周波数帯域で外来騒音を減らすことができることである。それに対して、フィードフォワード方式の特長は、騒音に対して位相特性とレベルを完全に合わせることができれば理論的には騒音を完全に消去できることである。
【０００４】
しかしながら、フィードフォワード方式は、ある程度広い周波数帯での消音効果を得るようにすると、帯域ごとの消音効果に関してその性能が落ちてしまうため限界があるという弱点がある。また、フィードバック方式のノイズキャンセルの弱点は、対応できない周波数帯域において、あるいは装着する人の耳の形によって、ハウリングなどの不安定な動作が起きるといった弱点がある。そのため、上述のノイズキャンセルの方法を適用したヘッドホンは、それぞれこうした問題を引き起こすことがある。また、フィードバック方式のノイズキャンセルヘッドホンにおいては、再生している楽音の周波数が変化し、高音質の楽音の再生に影響がでることがある。そのためアクティブ回路で前もって音質を補正したり、ヘッドホンの構造自体で作り込む音質をノイズキャンセル特性に合わせる必要があり、ノイズキャンセル機能の電源をオフにしている状態ではヘッドホンとして使用できない構成になっているものが多い。また、フィードフォワード方式とフィードバック方式を組み合わせたハイブリッド型のノイズキャンセルヘッドホンでは、ノイズキャンセルの効果は高くなるが、音質が劣化し、ハウリングなどが起こる問題がある。すなわち、フィードフォワード方式とフィードバック方式双方の特長を活かしてノイズキャンセル機能を向上させ、双方の弱点を補完するノイズキャンセルヘッドホンは実現していない。
【０００５】
一方、一般的なヘッドホンは、使用者の耳を保護する目的で弾力性のあるイヤーパッドが使用者の耳または側頭部に当接するように設計されている。イヤーパッドは、リング状の形状をしていて、ヘッドホン筐体の放音面側に設けられている。この構成によって、通常ヘッドホンの使用態様では、イヤーパッドのリング内部の空間と、使用者の外耳道と、ヘッドホン筐体とで構成される空間、すなわちここでは「前気室」と称することにする空間が設けられている。フィードフォワード方式のノイズキャンセルヘッドホンにおいては、外部騒音を外部に向けたマイクによって上述の適宜の方法で処理しても、上記前気室に騒音が残っていてこの騒音を消すことができない。
【先行技術文献】
【特許文献】
【０００６】
【特許文献１】特開２００８−９９１２７号公報
【発明の概要】
【発明が解決しようとする課題】
【０００７】
本発明は、フィードフォワード方式のノイズキャンセルヘッドホンにフィードバック方式の誤差補正方式を組み合わせたもので、音質の変化や劣化、ハウリングなどを防ぐことができ、ノイズキャンセルの電源をオフにした状態でもヘッドホンとして機能し、前気室に残っている騒音を除去することができるノイズキャンセルヘッドホンを提供することを目的する。
【課題を解決するための手段】
【０００８】
本発明にかかるノイズキャンセルヘッドホンは、筐体と、筐体に備えられたヘッドホンユニットと、筐体の外側に向かって取り付けられたマイクユニットと、を有し、使用態様において筐体と使用者の外耳道との間には、前気室が形成され、マイクユニットは、外部騒音を集音し、ヘッドホンを通じて使用者の耳に聞こえてくる騒音と逆位相のノイズキャンセル信号を生成するキャンセル信号生成手段を有し、フィードフォワード方式で騒音をキャンセルするノイズキャンセルヘッドホン、であって、前気室内には、フィードフォワード方式で消音しきれなかった誤差騒音を検出する誤差検出用マイクユニットが配置され、誤差騒音をキャンセルするための誤差補正信号を生成してフィードバック方式でノイズキャンセルを行う誤差騒音キャンセル信号生成手段を有することを最も主要な特徴とする。
【発明の効果】
【０００９】
本発明にかかるノイズキャンセルヘッドホンよれば、前気室内には、フィードフォワード方式で消音しきれなかった騒音を検出する誤差検出用マイクユニットが配置され、誤差騒音をキャンセルするための誤差補正信号を生成してフィードバック方式でノイズキャンセルを行う誤差騒音キャンセル信号生成手段を有しているため、フィードバック方式と、フィードフォワード方式のノイズキャンセル機能を組み合わせたとしても、音質の変化や劣化あるいはハウリングを防ぐことができ、双方の方式の特長を活かしてより高品質な音質を実現しながら、前気室に残っている騒音を除去することができるとともに、ノイズキャンセル機能の電源をオフにした状態でも、ヘッドホンとして機能させることができる。
【図面の簡単な説明】
【００１０】
【図１】本発明にかかるノイズキャンセルヘッドホンの実施例を示す断面図である。
【図２】本発明にかかるノイズキャンセルヘッドホンの制御系の一例を示すブロック図である。
【図３】本発明にかかるノイズキャンセルヘッドホンの制御系の他の例を示すブロック図である。
【図４】本発明にかかるノイズキャンセルヘッドホンの制御系の他の例を示すブロック図である。
【図５】本発明にかかるノイズキャンセルヘッドホンの消音性能を測定した結果を示すグラフである。
【発明を実施するための形態】
【００１１】
以下、本発明に係るノイズキャンセルヘッドホンの実施例について図面を参照しながら説明する。なお、以下に本発明の各種実施形態を説明するが、本発明にかかるノイズキャンセルヘッドホンは、これらの実施例の構成に限定されるものではない。
【００１２】
図１において、ノイズキャンセルヘッドホン１０１は、筐体２２と、筐体２２に備えられたヘッドホンユニット４と、筐体２２の外側に向かって取り付けられたマイクユニット１とを有している。ノイズキャンセルヘッドホン１０１は、一般的なヘッドホンの構成と同様に、全体の支持基板としてのバッフル板２５を備え、その一方の面の周辺には、使用者の耳２４を覆うイヤーパッド２３が取り付けられている。なお、筐体２２内部（後述する後気室）のその他の構成は、上記のものと、図２乃至図４を用いて後述するものに加え、適宜の設計思想に基づいて以下の構成を付け加えることが可能である。例えば、外部との通信によって聴音することができるコードレスタイプにするため、通信のための電子部品や回路を備えていてもよく、内部に電源を有していてもよい。なお、ノイズキャンセルヘッドホン１０１は、図示しないが一般的なヘッドホンの構成と同様に、ヘッドバンドによって左右一対で構成されて、使用者の両耳にあてられる。上記ドライバユニット４は、ヘッドホンドライバともいわれるもので、例えばダイナミックスピーカと同様に、振動板とこの振動板に固着されたボイスコイルと、このボイスコイルに入力される音声信号に基づいてボイスコイルを駆動する磁気回路と、この磁気回路と上記振動板の外周を支持するフレームを有してなる。
【００１３】
ドライバユニット４は、バッフル板２５の裏面（図１において左側の面）の中央部に取り付けられて、バッフル板２５の中央部に設けられた放音孔からバッフル板２５の表面側に向かってドライバユニット４から放音されるようになっている。ドライバユニット４は、その放音面を使用者の外耳道２１方向へ向けている。このドライバユニット４を覆うように、バッフル板２５の裏面側には椀状の筐体２２が固定されている。図１で示すように、ノイズキャンセルヘッドホン１０１は、使用者の耳２４を保護する目的で弾力性のあるイヤーパッド２３が当接するように設計されている。イヤーパッド２３は、リング状の形状をしていて、筐体２２のバッフル板２５の放音面側に備えられている。この構成によって、ノイズキャンセルヘッドホン１０１の使用態様では、イヤーパッド２３のリング内部の空間と、使用者の耳２４と、筐体２２とで構成される、「前気室１２」とここでは称することにする空間が設けられている。また、バッフル板２５と筐体２２及び仕切り部材２７によってできる空間は、「後気室」とここでは呼ぶ。図示のように、マイクユニット１は、筐体２２内に固着された断面がＬ字型で筐体２２の内周面に添ってリング状に形成された仕切り部材２７と筐体２２の内面とで形成された空間２８によって取り付けられ、筐体２２に設けられた孔から外部騒音を集音できるようにして、実装されている。このようにして、マイクユニット１は、実質的には、筐体２２の外側に向かって取り付けられ、外部騒音を集音する。前気室１２内のバッフル板２５には、フィードフォワード方式で消音しきれなかった誤差騒音を検出するための誤差検出用マイクユニット６が集音部を前気室１２に位置させて配置されている。
【００１４】
図１において、誤差検出用マイクユニット６は、ヘッドホンユニット４の中心軸Ａ上からずらされて、イヤーパッド２３に近い位置に配置されている。このようにすることにより、誤差検出用マイクユニット６は、ヘッドホンユニット４からの直接的な楽音に影響されず、上記マイクユニット６によるフィードフォワード方式ノイズキャンセルで消音しきれなかった外部騒音を検出し、この検出信号に基づきフィードバック方式ノイズキャンセルを行うことにより、より精度の高いノイズキャンセルを行うことができる。なお、ノイズキャンセルヘッドホン１０１の大きさは、適宜の設計思想により可変であるが、図示のように、使用者の耳２４をイヤーパッド２３が覆うような大きさに設計しておくと、音漏れが少ないため好ましい。ただし、いわゆる耳載せタイプのヘッドホンであっても差し支えない。
【００１５】
次に本発明にかかるノイズキャンセルヘッドホンに適用される制御系の各種の例を、ブロック図を用いて説明する。
【００１６】
図２において、ノイズキャンセルヘッドホンは、外部騒音１３を検出するマイクユニット１と、その信号を増幅するマイクアンプ２と、ヘッドホンを通して使用者の耳に聞こえてくる騒音と逆位相のノイズキャンセル信号を生成するキャンセル信号生成手段であるフィードフォワードノイズキャンセル（以下、ＦＦＮＣと略す。）信号発生回路３と、ヘッドホンユニット４と、ヘッドホンユニット４を駆動するためのヘッドホンアンプ５と、誤差検出用マイクユニット６と、誤差検出用マイクユニット６で集音された誤差騒音によって誤差補正信号を生成する誤差補正回路７と、ＦＦＮＣ信号を加算する加算器８を有している。また、楽音１１などを再生する電気信号をヘッドホンユニット４に伝えるための楽曲入力端子９、及び楽曲用ヘッドホンアンプ１０を備えている。ヘッドホンアンプ５の出力端子は、ヘッドホンユニット４の一方の端子に接続され、楽曲用ヘッドホンアンプ１０の出力端子はヘッドホンユニット４の他方の端子に接続されている。
【００１７】
外部騒音１３は、マイクユニット１によって集音されて電気信号に変換される。この電気信号は、マイクアンプ２で増幅される。この増幅された電気信号は、ＦＦＮＣ信号発生回路３でＦＦＮＣ信号に変換され、加算器８に伝達される。加算器８からヘッドホンアンプ５に伝達された信号はヘッドホンアンプ５で増幅され、ヘッドホンアンプ５はヘッドホンユニット４を駆動し、前気室１２に音声を放音する。この放音されたＦＦＮＣ信号は、リアルタイムで前気室１２内に侵入した騒音を相殺し減衰させる。前気室１２内に残った騒音は、誤差検出用マイクユニット６で誤差信号として集音され、誤差補正回路７で誤差補正信号を発生させ加算器８によって加算され、ヘッドホンアンプ５に伝達される。さらに、ヘッドホンアンプ５によってヘッドホンユニット４が駆動され、ヘッドホンユニット４によって前気室１２内に誤差補正信号を少し時間が遅れながら放音され、残った騒音を減衰させる。ここで、誤差補正回路７は誤差騒音キャンセル信号生成手段１０２として機能している。
【００１８】
誤差検出用マイクユニット６は、誤差補正信号により減衰された騒音も誤差信号としてさらに検出し、上述と同様の動作で前気室１２に残った誤差信号を減衰させるので、誤差補正回路７は、フィードバック方式の誤差信号補正回路として動作する。楽音１１は、楽音入力端子９から入力され、楽音用ヘッドアンプ１０を通って再びヘッドホンユニット４に供給される。なお、ヘッドホンユニット４により放音された楽音１１は、誤差検出用マイクユニット６に集音され誤差補正回路７を通って再びヘッドホンユニット４より前気室１２内に放音される。しかしながらこの放音の量は、そもそも少ないため、上述のフィードバック方式のノイズキャンセル機能が楽音１１に与える影響は限定的である。
【００１９】
このように誤差補正信号が充分小さくなるように設計をすれば、楽音用ヘッドアンプ１０による外部騒音１３を考慮した音量調節は必要なくなる。また、この音量調節の調節量は、少量で済むようになり、同時に非常に簡単な回路によってこの調節をすることができる。したがって、楽音１１のもともとの音質に与える影響が少なく、低コストで、高音質のノイズキャンセルヘッドホンを実現できる。なお、上述の構成に限らず、例えば位相反転した誤差信号を楽音用ヘッドホンアンプ１０に入力するように設計することも可能である。
【００２０】
以上説明した、ノイズキャンセルヘッドホンは、前気室１２内には、フィードフォワード方式で消音しきれなかった誤差騒音を検出する誤差検出用マイクユニット６が配置され、誤差騒音をキャンセルするための誤差補正信号を生成してフィードバック方式でノイズキャンセルを行う誤差騒音キャンセル信号生成手段１０２を有しているため、フィードバック方式と、フィードフォワード方式のノイズキャンセル機能を組み合わせたとしても、フィードバックされる音量を少なくすることができるためハウリング等も起きにくく、あるいは音質の変化や劣化を防ぐことができる。またノイズキャンセル機能の電源をオフにした状態にしても、すなわち図１上のマイクユニット１と、誤差検出用マイクユニット６をオフにしても、ヘッドホンとして機能することができる。
【００２１】
仮にフィードフォワード方式のノイズキャンセル機能で外部騒音を２０ｄＢ減衰させることができ、さらに、上述のフィードバック方式のノイズキャンセル機能で誤差騒音を６ｄＢ減衰させれば、総消音量は、−２６ｄＢとなり、大きな外部騒音も十分消音できる。音楽信号を再生した場合は、音楽信号にも６ｄＢの減衰が観られるが、その消音効果からみれば非常に楽音１１への影響は少ない。もし、この消音特性をフィードバック方式のノイズキャンセルヘッドホンのみで実現しようとすると２０分の１もの減衰が楽音１１に起こるため、強力な楽音用の音質補正回路を必要とする。それに対して、本発明に係るノイズキャンセルヘッドホン１０１は、楽音１１の減衰は２分の１に抑えられ、楽音１１の再生への影響は非常に小さく最小限に抑えられる。楽音１１の減衰を補正するため、音楽プレーヤの出力レベルが例えば、上述の６ｄＢ程度上がるように、アンプ１０の増幅度をあらかじめアップさせておくことも可能である。また、楽音用ヘッドホンアンプ１０の増幅度をあらかじめ減衰した周波数帯域だけアップさせておけば、楽音１１と外部騒音のＳＮ比を６ｄＢ程度改善することもできる。なお、誤差騒音における減衰量は、おおむね６ｄＢから１０ｄＢ程度がよい。
【００２２】
次に本発明に適応可能な制御系の変形例を図３に基づいて説明する。
図３に示す、ノイズキャンセルヘッドホンの制御系は、図２におけるノイズキャンセルヘッドホンの制御系における誤差騒音キャンセル信号生成手段１０２の構成に、デジタルフィルターである帯域制限フィルター回路１４を加えている。すなわち、基本的な構成は図２と同様であるが、加算器８と、誤差補正回路７との伝達路に所定の周波数のみを通過させる帯域制限フィルター回路１４が設けられている。なお、帯域制限フィルター回路１４は、誤差検出用マイクユニット６と、誤差補正信号発生回路７との信号伝達回路に設けることもでき、キャンセル信号生成手段であるＦＦＮＣ信号発生回路３と、加算器８の間又は、マイクアンプ２とＦＦＮC信号発生回路３の間に設けることもできる。帯域制限フィルター回路１４は、ローパスフィルターとハイパスフィルターを組み合わせることで実現可能である。
【００２３】
このようにすることにより、帯域制限フィルター回路１４は、フィードバック方式の誤差補正をする周波数帯を限定するので、上述の効果に加え、必要な周波数帯のみ消音効果を高め、フィードフォワード方式の誤差補正の弱点である、帯域が広くなるとノイズキャンセル機能が落ちることを補うことができる。さらに、上述のフィードバック型のノイズキャンセル機能を用いた誤差補正の周波数帯が限定されているので、楽音１１に与える影響はさらに限定的となる。すなわち、フィードフォワード方式とフィードバック方式の特長を双方活かし、双方の弱点を補完してノイズキャンセル機能を向上させることができる。
【００２４】
図４は、本発明に適用可能な制御系のさらに別の変形例を示す。図４において、ノイズキャンセルヘッドホンの構成は、図２におけるノイズキャンセルヘッドホンにおける誤差騒音キャンセル信号生成手段１０２の構成に、オートゲインコントロールアンプ１８と、基準電圧発生回路１６と、誤差検出用マイクユニット６の出力信号のオートゲインコントロールアンプ１８への入力をオン・オフするスイッチ１９と、誤差検出用マイクユニット６の出力信号を積分する積分器１７の出力信号と基準電圧発生回路１６の出力信号を比較してスイッチ１９を切り替える比較器１５を加えている。そしてオートゲインコントロールアンプ１８の出力信号を楽曲信号に加算する第２の加算器２０を加えている。
【００２５】
まず、所定の外部騒音１３を基準音圧レベルに設定し、その基準音圧レベルの電圧を基準電圧発生回路１６に発生させる。積分器１７は、誤差検出用マイクユニット６の出力を積分して積分値に応じた電圧を発生させている。スイッチ１９がオンのとき、オートゲインコントロールアンプ１８には、誤差検出用マイクユニット６の出力が伝達されている。積分器１７と、基準電圧発生回路１６の電圧は、比較器１５で比較され、誤差検出用マイクユニット６の出力を積分している電圧が、基準電圧発生回路１６の電圧よりも高い場合には、スイッチ１９がオフになり、オートゲインコントロールアンプ１８への誤差検出用マイクユニット６の出力が遮断される。そして、誤差検出用マイクユニット６の出力に対して、誤差補正回路７が機能するように構成されている。
【００２６】
誤差検出用マイクユニット６の出力を積分している電圧が、基準電圧発生回路１６の電圧よりも低い場合には、スイッチ部１９により、誤差検出用マイクユニット６の出力が保たれる。そのため、オートゲインコントロールアンプ１８によって、誤差検出用マイクユニット６の出力は、基準電圧のレベルに保たれるように増幅される。そして、この信号が第２の加算器２０によって楽音入力端子９から入力された楽音１１の信号に加算され、この信号が楽音用ヘッドホンアンプ１０によって増幅されてヘッドホンユニット４によって前気室１２に出力される。なお、この構成にさらに帯域制限フィルター１４を上述の説明のように設けることも可能である。また、誤差検出用マイクユニット６の出力をスイッチ１９でオートゲインコントロールアンプ１８、または誤差補正回路７に選択的に切り替えられるように構成してもよい。
【００２７】
このようにすることにより、前気室１２内の誤差騒音の音圧が基準音圧レベルより低い場合には、常に設定した外部音の音圧を保てるようになり、前気室１２内の誤差騒音の音圧が基準音圧レベルより高い場合には、誤差補正回路７の働きにより消音効果を得ることができる。また、外部騒音１３が小さい時には周囲の音を希望の音量にコントロールすることができる。このようにすることにより、ノイズキャンセルヘッドホンを外したり、ノイズキャンセル機能をオフにすることなく、使用者が前気室の外部の音を一定のレベルで聞きとることができる。そのため、ノイズキャンセルヘッドホンを装着した状態においても、屋外で音が聞こえるため安全かつ快適に過ごすことができる。さらに、本発明にかかるノイズキャンセルヘッドホンを、使用者がボリュームや切り替えスイッチなどの適宜の手段で、自由に外部から聞きとりたい音量のレベルをコントロールできるように設計することができる。なお、上述の基準音圧のレベルは、基準電圧発生回路１６の基準電圧を例えば手動で可変できる。さらに、外部から使用者が聞きとる音量は、スイッチ１９からの出力を可変にし、オートゲインコントロールアンプ１８からの出力を可変にすることで、変更することが可能である。帯域制限フィルター１４を図３に示す例のように設けることも可能である。
【００２８】
本発明にかかるノイズキャンセルヘッドホンの消音特性を図５に示す。
図５は、図２における構成を有したノイズキャンセルヘッドホン１０１における消音特性を測定した。なお、このグラフにおいて、横軸は周波数Ｈｚ、縦軸は音圧ｄＢを示す。太線はノイズキャンセルヘッドホンのノイズキャンセル機能をオフにしたときの遮音特性、細線は、上述におけるキャンセル信号生成手段を有効にしたときの遮音特性、点線は、キャンセル信号生成手段と、誤差騒音キャンセル信号生成手段を有効にしたときのノイズキャンセルヘッドホンの遮音特性を示す。図５から、本発明におけるノイズキャンセルヘッドホンは、特に低音域において、有効な消音特性が得られる。本発明におけるノイズキャンセルヘッドホンのように、キャンセル信号生成手段と、誤差騒音キャンセル信号生成手段１０２を有効にすると、従来のようにキャンセル信号生成手段のみでノイズキャンセルを行うようなヘッドホンより高い消音特性が得られる。
【産業上の利用可能性】
【００２９】
以上、本発明の実施形態の一例について説明したが、本発明はこの実施例の構成に限られるものではなく、特許請求の範囲に記載した技術思想を逸脱しない範囲で設計変更することができる。例えば、本発明のノイズキャンセルヘッドホンは、防音機能を高めてイヤマフとして利用することも可能であり、いわゆる使用者が会話するためのマイクを備えてヘッドセットとして利用することもできる。
【符号の説明】
【００３０】
１  マイクユニット
２  マイクアンプ
３  ＦＦＮＣ信号発生回路
４  ヘッドホンユニット
５  ヘッドホンアンプ
６  誤差検出用マイクユニット
７  誤差補正回路
８  加算器
９  楽音入力端子
１０  楽音用ヘッドホンアンプ
１２  前気室
１４  帯域制限フィルター回路
１５  比較器
１６  基準電圧発生回路
１７  積分器
１８  オートゲインコントロールアンプ
１９  スイッチ
２０  第２の加算器
１０１  ノイズキャンセルヘッドホン
１０２  誤差騒音キャンセル信号生成手段
【図１】
2012023637.tif 000003
【図２】
2012023637.tif 000004
【図３】
2012023637.tif 000005
【図４】
2012023637.tif 000006
【図５】
2012023637.tif 000007